(57)【要約】【課題】レンズの側方を支える側方保持部及びレンズの下側を支える下側保持部でのレンズの外観不良の発生を可及的に少なくすることができるレンズ保持治具を提供する。【解決手段】レンズＬの左右両端縁を保持する側方保持部４１，４２とレンズＬの下側端縁を保持する下側保持部４３の少なくとも三箇所の保持部でレンズＬを保持してレンズＬ２を液体中に浸漬するために用いられるレンズ保持治具において、側方保持部４１，４２がレンズの端縁を保持するＶ字状保持部４０４と、レンズＬの端縁に沿ってＶ字状保持部４０４から下方に延伸する上下延伸部４０３とを有する構成にする。また、上端にレンズＬ２の端縁を支える切欠部１１０を備える支持板１１と、支持板１１と交差角度をもって一体化されている補助板１２とを備える下側保持部１０とする。【選択図】  図１
2004268013.tif 000002
【特許請求の範囲】
【請求項１】
端縁を上下方向に配置したレンズの左右両端縁を保持する側方保持部と前記レンズの下側端縁を保持する下側保持部の少なくとも三箇所の保持部で前記レンズを保持して前記レンズを液体中に浸漬するために用いられるレンズ保持治具において、
前記側方保持部の少なくとも一つが、前記レンズの端縁を保持するＶ字状保持部と、前記Ｖ字状保持部を支持し、前記レンズの端縁に沿って前記Ｖ字状保持部から下方に延伸する上下延伸部とを有し、前記上下延伸部が前記レンズの端縁に当接するか極めて接近していることを特徴とするレンズ保持治具。
【請求項２】
請求項１記載のレンズ保持治具において、
前記側方保持部が、前記上下延伸部を支持し、液面とほぼ平行な方向に延伸する水平延伸部を有することを特徴とするレンズ保持治具。
【請求項３】
請求項１記載のレンズ保持治具において、
前記Ｖ字状保持部と前記上下延伸部とが、ワイヤを折曲して一体に形成されていることを特徴とするレンズ保持治具。
【請求項４】
請求項２記載のレンズ保持治具において、
前記水平延伸部が、前記Ｖ字状保持部と前記上下延伸部と共に、ワイヤを折曲して一体に形成されていることを特徴とするレンズ保持治具。
【請求項５】
請求項１記載のレンズ保持治具において、
搬送治具に装着される搬送固定部と、前記搬送固定部に結合されている複数のアームにそれぞれ設けられている前記保持部で一枚の前記レンズの端縁を支えて保持する一つのレンズ保持部とを有することを特徴とするレンズ保持治具。
【請求項６】
請求項５記載のレンズ保持治具において、
前記レンズ保持部が、コイルバネを介して鋭角的に折曲され、先端側に前記コイルバネにより前記レンズの端縁に当接するように付勢される第１側方保持部を備えている第１アームと、前記第１側方保持部が当接するレンズの端縁と対向する側の端縁に当接する第２側方保持部を備える第２アームと、前記第１側方保持部が当接する前記レンズの端縁と前記第２側方保持部が当接する前記レンズの端縁との間の前記レンズの下方端縁に当接する下側保持部を備える第３アームとを有することを特徴とするレンズ保持治具。
【請求項７】
端縁を上下方向に配置したレンズの左右両端縁を保持する側方保持部と前記レンズの下側端縁を保持する下側保持部の少なくとも三箇所の保持部で前記レンズを保持して前記レンズを液体中に浸漬するために用いられるレンズ保持治具において、
前記下側保持部が、上端に前記レンズの端縁を支える切欠部を備え、上下方向に沿って配置されている支持板と、上下方向に沿って配置され、前記支持板と交差角度をもって一体化されている補助板とを備えることを特徴とするレンズ保持治具。
【請求項８】
請求項７記載のレンズ保持治具において、
前記支持板と前記補助板とが、板材を折曲して一体に形成されていることを特徴とするレンズ保持治具。
【請求項９】
請求項７記載のレンズ保持治具において、
搬送治具に装着される搬送固定部と、前記搬送固定部に結合されている複数のアームにそれぞれ設けられている前記保持部で一枚の前記レンズの端縁を支えて保持する一つのレンズ保持部とを有することを特徴とするレンズ保持治具。
【請求項１０】
請求項９記載のレンズ保持治具において、
前記レンズ保持部が、コイルバネを介して鋭角的に折曲され、先端側に前記コイルバネにより前記レンズの端縁に当接するように付勢される第１側方保持部を備えている第１アームと、前記第１側方保持部が当接するレンズの端縁と対向する側の端縁に当接する第２側方保持部を備える第２アームと、前記第１側方保持部が当接する前記レンズの端縁と前記第２側方保持部が当接する前記レンズの端縁との間の前記レンズの下方端縁に当接する下側保持部を備える第３アームとを有することを特徴とするレンズ保持治具。
【発明の詳細な説明】
【技術分野】
【０００１】
本発明は、レンズ保持治具に関し、特に、レンズをハードコート液等の処理液中に浸漬処理等するために用いられるレンズ保持治具に関する。
【背景技術】
【０００２】
プラスチック眼鏡レンズは、傷が付きやすいため、耐擦傷性を付与するハードコート膜を形成することが行われている。レンズにハードコート膜を形成する方法としては、両面が所定のレンズ面形状に加工されたレンズの表面にハードコート液を塗布し、その後乾燥、硬化させる方法が一般的である。
レンズにハードコート液を塗布する方法としては、スピンコート法とディッピング法とがあり、生産性からディッピング法が主流である。
【０００３】
従来のディッピング法は、まとめて３０枚程度のレンズを装着できるレンズ保持治具にレンズを装着し、ハードコート液中にレンズ保持治具ごとレンズを浸漬し、所定時間経過後引き上げ、レンズ保持治具にレンズを装着したまま乾燥を行う方法が採用されている。
【０００４】
ところが、多数のレンズを装着できるレンズ保持治具には、レンズ径やレンズの側面（コバ）の厚みの応じて非常に多種類のレンズ保持治具を用意しなければならず、そのための設備費が大きく、管理が煩雑になるといった問題点がある。
【０００５】
また、レンズの径やレンズの厚みに応じてレンズ保持治具を選択する必要があるため、レンズの細かい分別作業が必要であり、そのために煩雑な手間を要するという問題点がある。
【０００６】
また、多数のレンズを装着できるレンズ保持治具は、骨組みが多く、ハードコート液に浸漬されるときに、これらの骨組みにもハードコート液が付着するため、ハードコート液が無駄になり、ハードコート液の利用効率が低いという問題点がある。
特に、近年、レンズの特注品が多くなり、多品種、小ロットになって、レンズ保持治具に装着されるレンズの充填率が低くなっており、これらの問題点が顕著になってきている。
【０００７】
そのため、本出願人は、一枚のレンズ毎に独立して保持する毎葉式のレンズ保持治具を開発した（特許文献１参照）。側面が薄いレンズを保持するための毎葉式のレンズ保持治具の一例を図９に示す。（ａ）は正面図、（ｂ）は左右の側方保持部でレンズを保持している状態を示す構成図、（ｃ）は下側保持部を示す構成図である。
【０００８】
この毎葉式のレンズ保持治具５００は、一枚の立てたレンズＬの端縁を支えて保持するレンズ保持部５０２と、レンズ保持部５０２が結合されている、図示しない搬送治具に掛けて吊り下げられる搬送固定部５０３とを有する。このレンズ保持部５０２は、コイルバネを介して鋭角的に折曲され、先端側にコイルバネによりレンズの端縁に当接するように付勢される第１側方保持部４４を備えている第１アーム５０４と、第１側方保持部５０４が当接するレンズの端縁と対向する側の端縁に当接する第２側方保持部４５を備える第２アーム５０５と、第１側方保持部４４が当接するレンズの端縁と第２側方保持部４５が当接するレンズの端縁との間のレンズの下方端縁に当接する下側保持部４６を備える第３アーム５０６とを有する。第１側方保持部４４と第２側方保持部４５とは、図９（ｂ）に示すように、針金を折曲してレンズＬの端縁を保持するＶ字状保持部に形成されている。また、下側保持部４６は、レンズＬの下側の端縁を支えるＶ字状切欠部を有する平板で構成されている。
【０００９】
このようなレンズ保持治具５００は、一枚のレンズを一つのレンズ保持治具で保持する毎葉式であるため、レンズの種類に応じたレンズ保持治具を用意すれば、多種類のレンズをそれぞれレンズ保持治具５００で保持し、一つの搬送治具に吊してハードコート液等に浸漬することができる。そのため、多品種、小ロットに対応することができる。また、吊り下げ式であるため、レンズ以外にハードコート液が付着する量は少なく、ハードコート液の利用効率が高い。また、レンズ保持部５０２がコイルバネでレンズの径の違いに対応できるので、レンズ径によらず、多種類のレンズを一種類のレンズ保持治具５００で保持することが可能である。
【特許文献１】
特開２００３−７１６５０
【考案の開示】
【発明が解決しようとする課題】
【００１０】
しかしながら、図９に示したレンズ保持治具５００には、第１側方保持部４４および第２側方保持部４５が接する部分のレンズＬ表面に、図１０（ａ）に示すようなハードコート液の流れた跡（厚さムラ）５１０が発生することが認められる。特に大きな厚さムラが発生すると、眼鏡フレームに枠入れ加工される玉型形状内に入り込んでしまうため、レンズＬの外観品質欠点となる。
【００１１】
図１０（ｂ）に示すように、第１側方保持部４４および第２側方保持部４５が押さえる位置を、レンズ中心を通る水平線Ｈ付近まで下げることにより、厚さムラが発生しても、玉型形状内に入り込むことを抑制することができる。しかし、レンズ中心付近の左右両端部ならびにレンズ下側端部の３箇所でレンズを押さえることになるため、レンズ保持が安定せず、ハードコート加工処理中にレンズが落下してしまい、歩留まりを低下させる原因となる。
【００１２】
本発明は、上記事情に鑑みてなされたもので、レンズの左右両端縁を支える側方保持部でのレンズ外観不良の発生を可及的に少なくすることができるレンズ保持治具を提供することを第１の目的とする。
【００１３】
また、図９に示したレンズ保持治具５００には、下側保持部４６が接しているレンズ側面の周辺にハードコート液の液溜まりが発生することが認められる。液溜まりが発生すると、ハードコート液が液溜まりの部分で厚くなり、ハードコート膜が厚くなる結果、光学的に外観品質欠点となる。
【００１４】
図１１（ａ）に示すように、円形のレンズＬ１では、レンズＬ１の端縁と眼鏡フレームに枠入れ加工される玉型形状Ｌ３との間の距離に余裕があり、液溜まりＦが発生しても、玉型形状Ｌ３内に影響を与えないため、問題となることはほとんどない。
【００１５】
ところが、図１１（ｂ）に示すような凸レンズのレンズ全体を薄くする仕様の場合、玉型形状Ｌ３に影響のない範囲でレンズを薄く削り、楕円形のような非円形レンズＬ２となる。この非円形レンズＬ２では、玉型形状Ｌ３とレンズＬ２の縁との間の距離に余裕が少ないため、液溜まりＦが玉型形状Ｌ３内に入り込み、外観品質欠点となってしまうことがあり、非円形レンズＬ２の歩留まりを低下させる原因となっている。
【００１６】
本発明は、上記事情に鑑みてなされたもので、レンズの下側端縁を支える下側保持部での液溜まりの発生を可及的に少なくすることができるレンズ保持治具を提供することを第２の目的とする。
【課題を解決するための手段】
【００１７】
本発明は、上記第１の目的を達成するため、第１に、端縁を上下方向に配置したレンズの左右両端縁を保持する側方保持部と前記レンズの下側端縁を保持する下側保持部の少なくとも三箇所の保持部で前記レンズを保持して前記レンズを液体中に浸漬するために用いられるレンズ保持治具において、前記側方保持部の少なくとも一つが、前記レンズの端縁を保持するＶ字状保持部と、前記Ｖ字状保持部を支持し、前記レンズの端縁に沿って前記Ｖ字状保持部から下方に延伸する上下延伸部とを有し、前記上下延伸部が前記レンズの端縁に当接するか極めて接近していることを特徴とするレンズ保持治具を提供する。
【００１８】
レンズの端縁に沿ってＶ字状保持部から下方に延伸しレンズの端縁に当接するか極めて接近している上下延伸部を設けることによって、この上下延伸部が液体が流れ落ちる流動経路となる。そのため、浸漬後の引き上げ時、側方保持部のＶ字状保持部に溜まった液体が、Ｖ字状保持部から下方に延伸する上下延伸部を伝って流れ落ちていき、レンズ表面を流れ落ちていかないため、レンズ表面の流れムラの発生を抑制することができる。また、流れムラの発生要因として、レンズと側方保持部の間にできるハードコート液の液膜が弾ける際、液膜として形成されていたハードコート液が、レンズ側に引き寄せられ、レンズ表面に溜まり、時間の経過とともに流れ落ちてくることが考えられる。よって、レンズの端縁に当接するか極めて接近している上下延伸部を設けることにより、レンズと側方保持部の間に隙間がほとんど無いため、液膜の発生を無くすことができる。これによって、レンズ外観不良の発生を可及的に抑制することができる。
【００１９】
本発明は、上記第１の目的を達成するために、第２に、上記第１のレンズ保持治具において、前記側方保持部が、前記上下延伸部を支持し、液面とほぼ平行な方向に延伸する水平延伸部を有することを特徴とするレンズ保持治具を提供する。
【００２０】
上下延伸部を支持し、液面とほぼ平行な方向に延伸する水平延伸部を設けることによって、この水平延伸部が、レンズ端縁の法線方向に概ね延伸しているため、レンズ端縁との間に液膜を形成し難く、液膜の破裂によるハードコート液の付着が起こりにくい。また、水平延伸部がハードコート液の流路となり難いため、ハードコート液がレンズに流れ込むことを抑制し、レンズ表面の流れムラの発生を抑制することができる。
【００２１】
本発明は、上記第１の目的を達成するため、第３に、上記第１のレンズ保持治具において、前記Ｖ字状保持部と前記上下延伸部とが、ワイヤを折曲して一体に形成されていることを特徴とするレンズ保持治具を提供する。
【００２２】
側方保持部のＶ字状保持部と上下延伸部とをワイヤを折曲して一体に形成したものを用いることによって、側方保持部は処理液の付着量が少なくなり、側方保持部と接触するレンズ端縁近傍のレンズ面に対する均一な処理膜の形成を可能とする。
【００２３】
本発明は、上記第１の目的を達成するため、第４に、上記第２のレンズ保持治具において、前記水平延伸部が、前記Ｖ字状保持部と前記上下延伸部と共に、ワイヤを折曲して一体に形成されていることを特徴とするレンズ保持治具を提供する。
【００２４】
側方保持部のＶ字状保持部と上下延伸部とに加えて水平延伸部をワイヤを折曲して一体に形成したものを用いることによって、側方保持部は処理液の付着量が更に少なくなり、側方保持部と接触するレンズ端縁近傍のレンズ面に対する均一な処理膜の形成を可能とする。
【００２５】
本発明は、上記第１の目的を達成するため、第５に、上記第１のレンズ保持治具において、搬送治具に装着される搬送固定部と、前記搬送固定部に結合されている複数のアームにそれぞれ設けられている前記保持部で一枚の前記レンズの端縁を支えて保持する一つのレンズ保持部とを有することを特徴とするレンズ保持治具を提供する。
【００２６】
本発明にかかる側方保持部を毎葉式のレンズ保持治具に適用することによって、毎葉式のレンズ保持治具のレンズ外観不良の発生を可及的に抑制することができる。
【００２７】
本発明は、上記第１の目的を達成するため、第６に、上記第５のレンズ保持治具において、前記レンズ保持部が、コイルバネを介して鋭角的に折曲され、先端側に前記コイルバネにより前記レンズの端縁に当接するように付勢される第１側方保持部を備えている第１アームと、前記第１側方保持部が当接するレンズの端縁と対向する側の端縁に当接する第２側方保持部を備える第２アームと、前記第１側方保持部が当接する前記レンズの端縁と前記第２側方保持部が当接する前記レンズの端縁との間の前記レンズの下方端縁に当接する下側保持部を備える第３アームとを有することを特徴とするレンズ保持治具を提供する。
【００２８】
レンズ保持部がコイルバネでレンズの径の違いに対応できるので、レンズ径によらず、多種類のレンズを一種類のレンズ保持治具で保持することが可能である。
【００２９】
本発明は、上記第２の目的を達成するため、第７に、端縁を上下方向に配置したレンズの左右両端縁を保持する側方保持部と前記レンズの下側端縁を保持する下側保持部の少なくとも三箇所の保持部で前記レンズを保持して前記レンズを液体中に浸漬するために用いられるレンズ保持治具において、前記下側保持部が、上端に前記レンズの端縁を支える切欠部を備え、上下方向に沿って配置されている支持板と、上下方向に沿って配置され、前記支持板と交差角度をもって一体化されている補助板とを備えることを特徴とするレンズ保持治具を提供する。
【００３０】
レンズの下側端縁を保持する下側保持部として、上端にレンズの端縁を支える切欠部を備え、上下方向に沿って配置されている支持板と、上下方向に沿って配置され、支持板と交差角度をもって一体化されている補助板とを備える構成とすることにより、かかる下側保持部は、液切れがよいと共に、支持板と補助板とがある交差角度で交わる上下方向に延びる隅部には、液体が溜まり易い。そのため、支持板に補助板を設けた下側保持部は、支持板単独の下側保持部と比較して液体保持力が大きくなり、隅部に溜められた液体に下側保持部と接しているレンズ端縁近傍の表面にある液膜が引き寄せられて液溜まりが生じ難くなるものと考えられる。
【００３１】
本発明は、上記第２の目的を達成するため、第８に、上記第７のレンズ保持治具において、前記支持板と前記補助板とが、板材を折曲して一体に形成されていることを特徴とするレンズ保持治具を提供する。
【００３２】
下側保持部として、板材を折曲して支持板と補助板とを一体に形成することにより、支持板に補助板を簡易に設けることができる。
【００３３】
本発明は、上記第２の目的を達成するため、第９に、上記第７のレンズ保持治具において、搬送治具に装着される搬送固定部と、前記搬送固定部に結合されている複数のアームにそれぞれ設けられている前記保持部で一枚の前記レンズの端縁を支えて保持する一つのレンズ保持部とを有することを特徴とするレンズ保持治具を提供する。
【００３４】
本発明にかかる下側保持部を毎葉式のレンズ保持治具に適用することによって、毎葉式のレンズ保持治具における下側保持部での液溜まりの発生を可及的に少なくすることができる。
【００３５】
本発明は、上記第２の目的を達成するため、第１０に、上記第９のレンズ保持治具において、前記レンズ保持部が、コイルバネを介して鋭角的に折曲され、先端側に前記コイルバネにより前記レンズの端縁に当接するように付勢される第１側方保持部を備えている第１アームと、前記第１側方保持部が当接するレンズの端縁と対向する側の端縁に当接する第２側方保持部を備える第２アームと、前記第１側方保持部が当接する前記レンズの端縁と前記第２側方保持部が当接する前記レンズの端縁との間の前記レンズの下方端縁に当接する下側保持部を備える第３アームとを有することを特徴とするレンズ保持治具を提供する。
【００３６】
レンズ保持部がコイルバネでレンズの径の違いに対応できるので、レンズ径によらず、多種類のレンズを一種類のレンズ保持治具で保持することが可能である。
【発明を実施するための最良の形態】
【００３７】
以下、本発明のレンズ保持治具の実施の形態について説明するが、本発明は下記の実施の形態に限定されるものではない。
本発明のレンズ保持治具は、薄い側面（コバ）を有するレンズ又は刃先のように尖った端縁を有するレンズのハードコート膜形成等の浸漬処理のために用いられるものである。
【００３８】
側方保持部を改良した第１の発明のレンズ保持治具の実施形態を図１〜図４を参照しながら説明する。このレンズ保持治具は、毎葉式に適用した例である。
図１は、端縁を上下方向に配置した、即ち縦にしたレンズを保持している本発明のレンズ保持治具を示すもので、（ａ）は正面図、（ｂ）は左右の側方保持部でレンズを保持している状態を示す構成図である。
【００３９】
レンズ保持治具１は、全体がステンレススチールで構成され、縦置きに配置されたレンズＬを保持するレンズ保持部２が、レンズ保持治具１全体を支え、搬送治具に装脱着自在に装着される搬送固定部３に結合されている構造を有する。
【００４０】
搬送固定部３は、図４に示す搬送治具６００に装着して固定できるバネ部３００を有する。バネ部３００は、断面が円形の針金を鋭角に折曲してバネ状に形成され、対向する両先端縁に針金を円形の形状にした指掛け３０１、３０２が設けられている。バネ部３００の一部に外方に湾曲して突出した湾曲部３０３が形成されている。
【００４１】
レンズ保持部２は、鉛直方向に伸縮するバネ部３００の下端に溶接等で結合されている。レンズ保持部２は、先端部が自由端になっている第１アーム２１、第２アーム２２、第３アーム２３を有する。これらの第１アーム２１、第２アーム２２、第３アーム２３は、基本的に断面がほぼ円形の針金で構成されている。第１アーム２１、第２アーム２２及び第３アーム２３を構成する針金の線径は、１．５ｍｍ〜２．５ｍｍ程度の細いものが用いられる。図１に示すレンズ保持治具１は、第１アーム２１と第２アーム２２とが一本の針金を折曲して一体に形成され、第３アーム２３が第２アーム２２に接合されている構造となっている。
【００４２】
第１アーム２１は、バネ部３００に接合されている水平方向アーム２１１の一端縁から付勢手段としての第１コイルバネ２１２を介して水平方向から斜め下方へ鋭角に折り返されている。折り返されて図１の斜め左側（本明細書においては、左右は図面を基準としている）へ傾斜している第１傾斜部２１３は、レンズＬの左側端よりやや左側で上下方向よりやや内側に折曲され、垂直方向よりやや内側へ傾斜して延伸している第１鉛直部２１４となり、その先端がレンズＬの中央左端縁近傍に位置するようになっている。第１アーム２１の先端部はプレス等で扁平に形成されて取付部２１５が形成され、取付部２１５には第１側方保持部４１の後述する接合部が接合されている。
【００４３】
第２アーム２２は、水平方向アーム２１１の一端縁から付勢手段としての第２コイルバネ２２１を介して水平方向から斜め下方へ鋭角に折り返されている。折り返されて図１の斜め右側へ傾斜している第２傾斜部２２２は、レンズＬの右側端よりやや右側で上下方向よりやや内側に折曲され、垂直方向よりやや内側へ傾斜して延伸している第２鉛直部２２３となり、その先端がレンズＬの中央右端縁近傍に位置するようになっている。第２アーム２２の先端部は、第１アーム２１同様、プレス等で扁平に形成されて取付部２２５が形成され、取付部２２５には第２側方保持部４２の接合部が接合されている。
第１側方保持部４１ならびに第２側方保持部４２については、後で詳細に説明する。
【００４４】
第３アーム２３は、第２アーム２２の第２傾斜部２２２に並列し、第１アーム部２１の第１傾斜部２１３を間に挟むように、第２傾斜部２２２と間隙をもって第２アーム２１の第２コイルバネ２２１近傍と第２傾斜部２２２の先端側にそれぞれ接合された第３傾斜部２３２を有する。第３傾斜部２３２は、第２アーム２２の第２鉛直部２２３よりやや外側で垂直方向へ折曲され、垂直方向よりやや内側へ傾斜して延伸している第３鉛直部２３３となっている。第３鉛直部２３３は更にレンズＬ斜め右下側でレンズＬに沿って折曲されて第４傾斜部２３４となる。第４傾斜部２３４はレンズＬの下側でレンズＬ端縁に沿って水平に近く屈曲されて第５傾斜部２３５となっている。更に、第５傾斜部２３５の先端部はレンズＬ中心側に向かうようにほぼ垂直方向に折曲され、先端がプレス等で扁平に形成されていると共に、Ｖ字状の切欠部が設けられて下側保持部４３が形成されている。下側保持部４３は、レンズＬ下方の端縁のやや第２アーム２２寄りに位置するようになっている。
【００４５】
このレンズ保持治具１は、第１アーム２１の第１傾斜部２１３は、第２アーム２２の第２傾斜部２２２と第３アーム２３の第３傾斜部２３２と挟まれて交差している。これにより、第１アーム２１のレンズＬ端縁に対して離間接近する動きを、第２アーム２２の第２傾斜部２２２と第３アーム２３の第３傾斜部２３２がいわば案内として規制し、第１アーム２１の平面上の動きが、レンズＬの端縁とほぼ平行になることが確保されている。
【００４６】
次に、第１側方保持部４１および第２側方保持部４２の構成について図２を参照して説明する。第１側方保持部４１および第２側方保持部４２は同一形状である。
【００４７】
第１側方保持部４１を拡大した斜視図を図２（ａ）に示す。図２（ａ）に示す第１側方保持部４１は、細いステンレススチールの丸棒材を折曲して全体が一体に形成されている。第１側方保持部４１は、第１アーム２１の取付部２１５に接合する垂直方向に延伸する接合部４０１を有し、この接合部４０１の下端縁でほぼ直角に折曲され、ほぼ水平方向に延伸する水平延伸部４０２が形成され、水平延伸部４０２からほぼ垂直方向に折曲されて立ち上がり、レンズ端縁に沿う上下延伸部４０３が形成され、上下延伸部４０３の上端縁に水平方向のＶ字状に折曲されたＶ字状保持部４０４が形成されている。
【００４８】
図３に、第２保持部４２を拡大した側面図を示す。Ｖ字状保持部４０４は、縦置きにしたレンズの薄い端面や刃先のように尖った端縁を水平方向のＶ字溝によって保持するもので、Ｖ字状保持部４０４から下方へ延伸する上下延伸部４０３によって支持され、上下延伸部４０３は水平延伸部４０２によって支持され、水平延伸部４０２は、接合部４０１によって支持されている。Ｖ字状保持部４０４のＶ字の交点から下方に延伸し、レンズＬ端縁に沿う上下延伸部４０３は、レンズＬの端縁部（コバ面）と当接するか極めて接近して配置される。
図９に示した従来のレンズ保持治具５００には、上下延伸部４０３と水平延伸部４０２が無く、これらは第１発明のレンズ保持治具１の特徴部分である。
【００４９】
次に、このレンズ保持治具１の使用方法について説明する。レンズＬをレンズ保持治具１に保持させる作業は、例えば、第１アーム２１の第２アーム２２と交差後の斜めになっている第１傾斜部２１３を第２アーム２２の第２コイルバネ２２１側に指で引き寄せて第１アーム２１を大きく開き、レンズＬの端縁を下側保持部４３と第２側方保持部４２に当接させた後、コイルバネ２１２の付勢力に従って第１アーム２１の先端の第１側方保持部４１をレンズＬ端縁に当接させるようにすればよい。
【００５０】
これにより、レンズＬは、図１（ａ）に示すように、レンズＬの水平中心線よりやや上の左側端縁を第１側方保持部４１が押圧し、レンズＬの水平中心線よりやや上の右側端縁を第２側方保持部４２が押圧し、下方の側面のレンズＬの垂直中心線よりやや右側の端縁を第３保持部４３が保持するため、これらの第１保持部４１、第２保持部４２、第３保持部４３の三点支持で保持される。
【００５１】
このレンズ保持治具１は、第１アーム２１が第１コイルバネ２１２を介して鋭角的に折り曲げられ、また、第２アーム２２が第２コイルバネ２２１を介して鋭角的に曲げられているため、第１側方保持部４１及び第２側方保持部４２のストロークが長く、可動範囲が広いため、広い範囲のレンズＬの外径に対応することができると共に、レンズＬを装着する作業中にレンズに傷を付けるおそれが少なくなっている。
【００５２】
このレンズ保持治具１は、複数個を図４に示す搬送治具に搬送固定部３を装着して用いる。この搬送治具６００は、主軸棒６０１の両端縁に矩形板状の位置合わせ板６０２，６０３が軸方向と直交する方向でかつ水平方向に一体に設けられ、主軸棒６０１の位置合わせ板６０２，６０３より両側の内側に断面Ｖ字状の受け渡し板６０４が主軸棒６０１を下から挟むように一体に設けられている。更に、主軸棒６０１の受け渡し板６０４の両側の内方には、鉛直方向の釣り棒６０５が一体に設けられ、この釣り棒６０５と一体に図４（ｂ）に示すような逆Ｖ字状の断面を有する装着部６０６が主軸棒６０１とほぼ平行に設けられている。この装着部６０６には、所定間隔毎に、図４（ｂ）に示すような垂直方向に細長い通し孔６０７が逆Ｖ字状の装着部６０６の両壁を水平方向に貫通して設けられている。
【００５３】
搬送固定部３のバネ部３００の上下の指掛け部３０１，３０２を親指と人差し指で挟んでバネ部３００を少し圧縮しながらバネ部３００の先端を搬送治具６００の通し孔６０７に差し込んで指を放すと、図４（ｂ）に示すように、バネ部３００の湾曲部３０３が逆Ｖ字状の両側の通し孔６０７の上端に圧着される。これにより、バネ部３００が上下に拡張しようとする付勢力で通し孔６０７の上下両端を圧着すると共に、湾曲部３０３の両端部が通し孔６０７の上端の内面を圧着するため、バネ部３００は通し孔６０７に装着される。装着されたバネ部３００は、ガタがないと共に、抜けることが無く、安定に保持される。装着部６０６からバネ部３００を抜くときには、両側の指掛け部３０１，３０２の間隔を狭めるようにバネ部３００の付勢力に逆らって力を加えて上下の幅を縮めると、バネ部３００は通し孔６０７から容易に抜け出す。このように、搬送固定部３は、搬送治具６００に装脱着自在になっている。
【００５４】
搬送治具６００の装着部６０６に複数のレンズ保持治具１の搬送固定部３を装着して吊すことにより、複数のレンズ保持治具１を一つの搬送治具６００でまとめて搬送することができる。複数のレンズ保持治具１を搬送治具６００に装着した状態で、レンズＬをハードコート液等の処理液中に浸漬し、所定時間後に引き上げ、液切れ後、乾燥炉へ搬送して処理液を乾燥させる。
【００５５】
レンズ保持治具１をハードコート液から引き上げるときに、レンズ保持治具１の第１アーム２１、第２アーム２２、第３アーム２３、第１側方保持部４１、第２側方保持部４２、下側保持部４３及びレンズＬに付着したハードコート液が流れ落ちる。ハードコート液はかなり粘性が高く、比較的ゆっくり流れ落ちる。
【００５６】
側方保持部４１，４２の上下延伸部４０３がレンズＬの端縁や側面に密着乃至近接していることにより、上下延伸部４０３が液体の流動経路となる。また、レンズ表面の流れムラの要因となる液の膜を発生させるレンズＬと側方保持部４１，４２の隙間が無くなる。そのため、浸漬後の引き上げ時、第１側方保持部４１および第２側方保持部４２のＶ字状保持部４０４に溜まった液体が、Ｖ字状保持部４０４と一体化された上下延伸部４０３を伝って流れ落ちていき、レンズＬ表面を流れ落ちない。また、流れムラの発生要因であるレンズＬと側方保持部４１，４２の間にできるハードコート液の膜の発生を無くすことができるため、レンズ表面の流れムラの発生が生じ難くなるものと考えられる。
【００５７】
上下延伸部４０３は、このようにＶ字状保持部４０４に溜まった液の排出路として機能するものであり、その長さは２ｍｍ以上あることが好ましい。また、上下延伸部４０３は、直線状だけでなく、レンズＬの端縁とできる限り接近させるために、レンズＬの端縁と同じ円弧状としてもよい。
【００５８】
また、水平延伸部４０２は、図３に示したように、ほぼ液体の液面と平行、即ちほぼ水平方向に伸びているため、液体の流動経路となったり、レンズＬの端縁との間に液膜を発生させることを可及的に抑制することができる。図３の一点鎖線で示すように、水平延伸部４０２が上下延伸部４０３となす角が鋭角、即ち、水平延伸部４０２がレンズＬ側から水平線より上方向に伸びた形状の場合、第１アーム２１と第２アーム２２に付着したハードコート液が水平延伸部４０２を伝い、レンズＬに流れてしまうおそれがあるため、外観品質欠点の原因となるおそれがある。一方、図３の破線で示すように、上下延伸部４０３と水平延伸部４０２のなす角が鈍角、即ち、水平延伸部４０２がレンズＬ側から水平線より下方向に伸びた形状の場合、水平延伸部４０２とレンズＬの端縁部との間にハードコート液の膜ができるおそれがあり、外観品質欠点の原因となる。よって、水平延伸部４０２はほぼ水平方向に延伸することが望ましい。
【００５９】
また、第１側方保持部４１および第２側方保持部４２におけるＶ字状保持部４０４と上下延伸部４０３は、図２（ａ）に示すように、水平延伸部４０２も加えて一本のワイヤを折曲して一体に形成することが好ましい。Ｖ字状保持部４０４と上下延伸部４０３とが別体であると、Ｖ字状保持部４０４と上下延伸部４０３とを溶接等で固定する必要があり、固定箇所に凹凸部ができてしまう。凹凸部ができてしまうと、液体の流れを阻止する可能性がある。また、レンズＬのコバ面と密着しないため、液体の流動経路としての効果をも無くしてしまうおそれがある。
【００６０】
第１側方保持部４１および第２側方保持部４２は、図２（ａ）に示したものに限られるものではない。例えば、図２（ｂ）に示す第１側方保持部４１ｂは、図２（ａ）に示したものとほぼ同じ構造であるが、Ｖ字状保持部４０４の構造を簡素化するために、Ｖ字状保持部４０４の一方の突起と上下延伸部４０３と水平延伸部４０２、及び図示しないが接合部４０１とを一本のワイヤを折曲して形成し、これらを一対として上下延伸部４０３と水平延伸部４０２、及び図示しないが接合部４０１とを並列に配置し、Ｖ字状保持部４０４を形成した構造となっている。
【００６１】
また、図２（ｃ）に示す第１側方保持部４１ｃは、上下延伸部４０３と水平延伸部４０２に薄い板材を使用した構造である。ワイヤをＶ字状に折曲して形成されたＶ字状保持部４０４は、上下延伸部４０３の上端部に、凹凸部ができないようにロウ付け処理により連続した面を形成し結合されている。この側方保持部４１ｃは、薄い板材で形成することにより、側方保持部４１ｃにバネ機能が生まれるため、より一層、レンズＬのコバ面との密着性に優れている。
【００６２】
また、図２（ｄ）に示す側方保持部４１ｄは、Ｖ字状保持部４０４と上下延伸部４０３とを一本のワイヤを折曲して一体に形成し、水平保持部４０２の先端が上下延伸部４０３の中間部に接合されている構造となっている。
【００６３】
本発明のレンズ保持治具１を用いて実際にレンズのハードコート液のディッピングを行った結果、従来の側方保持部４４，４５を備えるレンズ保持治具５００と比較してレンズ表面の流れムラによる外観不良が極めて少なくなったことが確認されている。
【００６４】
上記レンズ保持治具１は、第１アーム２１、第２アーム２２、第３アーム２３が断面円形の針金で構成され、表面積が最小になるようになっている。そのため、ハードコート液の付着量が少なく、しかも洗浄により付着物が簡単に脱離するため、容易に洗浄できる。
【００６５】
なお、上記説明では、下側保持部を従来の保持部で構成した例を示したが、後述する第２発明にかかる下側保持部としてもよいことは勿論である。また、まとめて多数のレンズを装着できる従来のレンズ保持治具の側方保持部として、上記側方保持部を用いてもよい。
【００６６】
次に、第２の目的を達成するための第２の発明のレンズ保持治具について図５〜図８を参照しながら説明する。図５は、端縁を上下方向に配置した楕円形の非円形レンズを保持している第２発明のレンズ保持治具の第１実施形態を示すもので、（ａ）は正面図、（ｂ）は左右の側方保持部と下側保持部でレンズを保持している状態を示す構成図である。図６は、図５に示したレンズ保持治具をそのやや下側から見た斜視図である。
【００６７】
このレンズ保持治具１ｂは、全体がステンレススチールで構成され、特に非円形レンズＬ２のごく薄い側面（コバ）の端縁又は刃先のように尖った端縁を支えるために好適に用いられる。このレンズ保持治具１ｂは、縦置きに配置されたレンズＬ２を保持するレンズ保持部２ｂがレンズ保持治具１全体を支える搬送固定部３ｂに結合されている構造を有する。
【００６８】
搬送固定部３ｂは、図４に示した搬送治具６００の装着部６０６を図示しない矩形状の断面を有する横棒に変更した図示しない搬送治具のその横棒に掛けて吊すことにより搬送治具に装脱着自在な鉤部３０を有する。鉤部３０は、やや厚手の矩形板を折曲して形成され、図示しない搬送治具の横棒の断面略矩形状の鉤部用凹部の上面と左右側面に嵌まって安定するように形成された逆凹型の形状を有する支持部３１とこれと一体に形成されている水平板３２とを有する。鉤部３０は、レンズ保持治具１全体を支える。
【００６９】
レンズ保持部２ｂは、それぞれ基端部が鉤部３０の水平板３２に結合され、先端部が自由端になっている第１アーム２１ｂ、第２アーム２２ｂ、第３アーム２３ｂを有する。これらの第１アーム２１ｂ、第２アーム２２ｂ、第３アーム２３ｂは、基本的に断面がほぼ円形の針金で構成されている。第１アーム２１ｂを構成する針金の線径は、０．５〜１．５ｍｍ程度の細いものが用いられ、第２アーム２２ｂや第３アーム２３ｂよりも２／３〜１／３程度細くなっている。
【００７０】
第１アーム２１ｂの基端部は、鈎部３０の水平板３２の上面にこれと平行に接合されている。基端部から水平方向に延伸する第１水平部２１１ｂから、付勢手段としてのコイルバネ２１２ｂを介して水平方向から斜め下方へ鋭角に折り返されている。折り返されて図１の斜め右側へ傾斜している第１傾斜部２１３ｂは、レンズＬ２の右側端よりやや右側で上下方向よりやや内側に折曲され、垂直方向よりやや内側へ傾斜して延伸している第１鉛直部２１４ｂとなり、その先端がレンズＬ２の中央右端縁近傍に位置するようになっている。第１アーム２１ｂの先端部はプレス等で扁平に形成されて取付部２１５ｂが形成され、取付部２１５ｂには細いワイヤを折曲して形成された第１側方保持部４４の基端部が接合されている。第１側方保持部４４の基端部から立ち上がる部分は、第１アーム２１の先端縁にほぼ位置している。
【００７１】
第２アーム２２ｂと第３アーム２３ｂとは、それぞれ鈎部３０の水平板３２下面に断面がω型に形成された案内板２４を介して基端部が接合され、基端部から第１アーム２１ｂとは逆の図面右水平方向に延伸している第１水平部２２１ｂ、２３１ｂを有する。これらの第１水平部２２１ｂ、２３１ｂから左側斜め下方に向かって鋭角的に折曲され、この斜め左下方へ延伸している第２傾斜部２２２ｂと２３２ｂが、第１アーム２１ｂの第１傾斜部２１３ｂを両側から挟むように第１アーム２１ｂと交差している。第２傾斜部２２２ｂ、２３２ｂからレンズＬ２の左端よりやや左側で上下方向よりやや内向きに折曲され、垂直方向よりやや内側に向かって傾斜している第２鉛直部２２３ｂ、２３３ｂになっている。
【００７２】
第２アーム２２ｂの第２鉛直部２２３ｂの先端は、レンズＬ２中央左端縁近傍に位置するように延伸されている。第２アーム２２ｂの第２鉛直部２２３ｂの先端部は、プレス等で扁平に形成されて取付部２２５ｂが形成され、取付部２２５ｂにはワイヤを折曲して形成された第２側方保持部４５の基端部が接合されている。第２側方保持部４５の基端部から立ち上がる部分は、第２アーム２２ｂの先端縁にほぼ位置している。
【００７３】
第３アーム２３ｂの第２鉛直部２３３ｂは更にレンズＬ２斜め左下側でレンズ端縁に沿って折曲されて第３傾斜部２３４ｂとなり、更に、レンズＬ２中心側に向かうようにほぼ垂直方向に折曲されて取付部２３６が形成されている。第３アーム２３ｂの先端の取付部２３６は、レンズＬ２下方の端縁のやや第１アーム２１ｂ寄りに位置するようになっている。第３アーム２３ｂの取付部２３６には、下側保持部１０が接合されている。この下側保持部１０については後で詳細に説明する。
【００７４】
第２アーム２２ｂと第３アーム２３ｂのそれぞれの第２鉛直部２２３ｂ、２３３ｂの上部は、連結板２５によって、第２アーム２２ｂと第３アーム２３ｂのそれぞれの第２鉛直部２２３ｂ、２３３ｂがレンズＬ２の端縁とほぼ平行になるように相互に固定されている。第１アーム２１ｂ、第２アーム２２ｂ及び第３アーム２３ｂは、縦方向に配置されたレンズＬ２の端縁とほぼ平行になるように折曲されている。
【００７５】
第１実施形態のレンズ保持治具１ｂに取り付けられている第１側方保持部４４と第２側方保持部４５は、レンズＬ２の左右の両側のそれぞれのごく薄い側面の端縁や刃先のように尖った端縁を保持できるＶ字状の窪みを形成するようにワイヤが折曲されている。
【００７６】
下側保持部１０は、第２発明のレンズ保持治具１ｂの特徴部分である。下側保持部１０を拡大した斜視図を図７（ａ）に示す。この下側保持部１０は、長辺が上下方向に沿った矩形状の支持板１１を備え、支持板１１の上端にレンズの側面の端縁や尖った端縁を支えるＶ字状の切欠部１１０を備える。支持板１１は取付部２３６に接合されている。この支持板１１とほぼ同じ長さと幅の矩形状の２枚の補助板１２が長辺が上下方向に沿って配置され、短辺が支持板１１に対して取付部２３６と反対側の直交方向に沿って支持板１１の両端縁に一体に設けられている。支持板１１と両側の補助板１２とは、水平断面がコ字状に形成されている。これらの支持板１１と補助板１２は、板材を折曲して一体に形成されている。支持板１１と補助板１２は、薄いステンレススチール板で構成されている。
【００７７】
レンズＬ２をレンズ保持治具１ｂに保持させる作業は、例えば、第１アーム２１ｂの第２アーム２２ｂと交差後の斜めになっている第１傾斜部２１３ｂを第２アーム２２ｂの第１水平部２２１ｂ側に指で引き寄せて第１アーム２１ｂを大きく開き、レンズＬ２の端縁を下側保持部１０と第２側方保持部４５に当接させた後、コイルバネ２１２ｂの付勢力に従って第１アーム２１ｂの先端の第１側方保持部４４をレンズＬ２端縁に当接させるようにすればよい。
【００７８】
そして、図示しない搬送治具の横棒にレンズ保持治具１の鉤部３０を掛けて吊し、複数のレンズ保持治具１を吊した状態で、レンズＬ２をハードコート液等の処理液中に浸漬し、所定時間後に引き上げ、液切れ後、乾燥炉へ搬送して処理液を乾燥させる。
【００７９】
レンズ保持治具１ｂは、第１アーム２１ｂがコイルバネ２１２ｂを介して鋭角的に折り曲げられ、第１側方保持部４４のストロークが長く、可動範囲が広いため、広い範囲のレンズＬ２の外径に対応することができると共に、レンズＬ２を装着する作業中にレンズに傷を付けるおそれが少なくなっている。
【００８０】
また、レンズ保持治具１ｂは、特に非円形レンズＬ２の保持に適した構造となっている。非円形レンズは、レンズの厚み（中心厚）を薄くしたい顧客の希望がある場合に、全体の厚みを均等に削った薄型レンズである。特に凸レンズ（＋範囲のレンズ）では、外周部が薄くなり、外周部が削られて楕円形や非円形になる場合がある。外周部が削られた非円形レンズＬ２の外周縁は薄く刃先のように尖っており、強い力で両側から挟んだ状態で熱を加えると変形を生じてしまうおそれがある。
【００８１】
このレンズ保持治具１ｂは、第１アーム２１ｂの線径が第２アーム２２ｂや第３アーム２３ｂと比較して細くなっており、バネ圧を減少させ、外周縁が薄くなった非円形レンズＬ２も変形させることなく保持することが可能となっている。
【００８２】
また、下側保持部１０が、支持板１１の両端縁に補助板１２を設けている構造となっている。かかる下側保持部１０は、上下方向に液の流下を妨げる構造物がなく、浸漬後の液切れがよい。その一方で、支持板１１と補助板１２とが直交する角度で交わる上下方向に延びる隅部には、液体が溜まり易い。そのため、支持板１１に補助板１２を設けた下側保持部１０は、従来の支持板単独の下側保持部４６と比較して液体保持力が大きくなり、隅部に溜められた液体に下側保持部１０が接しているレンズＬ２の端部の表面にある液膜が引き寄せられて液溜まりが生じ難くなるものと考えられる。実際に非円形レンズのハードコート液のディッピングを行った結果、従来の支持板単独の下側保持部４６を備えるレンズ保持治具５００と比較して液溜まりによる外観不良が極めて少なくなったことが確認されている。
【００８３】
また、この下側保持部１０は、板材を折曲して支持板１１と補助板１２とを一体に形成されている構造であるため、支持板１１に補助板１２を簡易に設けることができる。また、この補助板１２は、薄い板材の支持板１１を補強し、曲げ難くしている機能も有する。
【００８４】
下側保持部１０は、図７（ａ）に示したものに限られるものではない。例えば、図７（ｂ）に示す下側保持部１０ｂは、図７（ａ）に示したものとほぼ同じ構造であるが、支持板１１ｂよりも補助板１２ｂの方が長く、補助板１２ｂの下部が支持板１１ｂより下方へ突出している構造となっている。
【００８５】
また、図７（ｃ）に示す下側保持部１０ｃは、長辺が上下方向に沿って配置されている矩形状の支持板１１ｃの両端縁に、矩形状の２枚の補助板１２ｃの幅方向の中心線部分を接合したような形状で、支持板１１ｃと補助板１２ｃが水平断面が略Ｈ字状に組み合わされた構造である。この下側保持部１０ｃは、支持板１１ｃと補助板１２ｃが交わる隅部が４箇所に形成されているため、図７（ａ）に示した下側保持部１０よりも液体保持力が大きくなり、液溜まり現象の防止効果に優れている。
【００８６】
更に、図７（ｄ）に示す下側保持部１０ｄは、基本的な構造は図７（ａ）に示したものと同じであるが、補助板１２ｄの上下方向に平行で全長に亘る複数のジグザグ状の屈曲を設けた構造となっている。この下側保持部１０ｄは、支持板１１ｄと補助板１２ｄとが交差する隅部に加えて、補助板１２ｄに設けられた上下方向の溝が液体を保持できるため、更に液体保持力が大きくなり、液溜まり現象の防止効果に優れている。
【００８７】
また、下側保持部は、図７（ａ）〜（ｄ）に示したものに限られず、例えば、補助板をフィン状に多数設けるようにしてもよく、あるいは支持板と補助板を四角筒状に形成するようにしても良い。更に、支持板１１と補助板１２とが交わる隅部を形成できればよいため、支持板１１と補助板１２との交差角度は９０°に限られない。
【００８８】
また、レンズ保持治具１ｂは、第１アーム２１ｂの第１傾斜部２１３ｂは、第２アーム２２ｂの第２傾斜部２２２ｂと第３アーム２３ｂの第２傾斜部２３２ｂと挟まれて交差している。これにより、第１アーム２１ｂのレンズＬ２端縁に対して離間接近する動きを、第２アーム２２ｂの第２傾斜部２２２ｂと第３アーム２３ｂの第２傾斜部２３２ｂがいわば案内として規制し、第１アーム２１ｂの平面上の動きが、レンズＬ２の端縁とほぼ平行になることが確保されている。
【００８９】
レンズ保持治具１ｂは、更に、第１アーム２１ｂ、第２アーム２２ｂ、第３アーム２３ｂが断面円形の針金で構成され、表面積が最小になるようになっている。そのため、ハードコート液の付着量が少なく、しかも洗浄により付着物が簡単に脱離するため、容易に洗浄できる。
【００９０】
図５及び図６に示したレンズ保持治具１ｂの第１側方保持部４４と第２側方保持部４５とは、従来の保持部を用いて構成していたが、第１の発明にかかる側方保持部４１，４２を採用してもよいことは勿論である。また、レンズ保持治具１ｂの説明では、非円形レンズＬ２を保持する場合を例にして説明しているが、円形レンズを保持しても良いことは勿論である。
【００９１】
次に、第２発明のレンズ保持治具の他の実施形態について説明する。図８は、多数個搭載型のレンズ保持治具を示すもので、図８（ａ）は、レンズ保持治具の正面図、図８（ｂ）は側面図である。
【００９２】
このレンズ保持治具１ｃは、円形レンズＬを縦置きで装着する１５連装のレンズ保持部２ｃが２列配置され、合計３０枚のレンズＬをまとめて装着でき、まとめて浸漬処理することができるようになっている。レンズ保持部２ｃは、レンズＬの左右の側方保持部４７、４８と下側保持部１０の３点の保持部でレンズＬを保持し、そのうち外方側の側方保持部４７は板バネ状になっている。レンズ保持部２ｃは、レンズＬの厚みに応じた等間隔ごとのピッチで配置されている。レンズ保持治具１ｃには、レンズ保持治具１ｃを搬送するための搬送治具５０が一体に設けられている。
【００９３】
このレンズ保持治具１ｃの左右の側方保持部４７、４８は、図９（ｃ）に示した側面が薄いレンズの側面を保持するＶ字状の切欠部を先端に有する支持板４６で構成されているが、図１に示した第１発明の側方保持部４１，４２を用いてもよいことは勿論である。
【００９４】
一方、下側保持部１０は、図７（ａ）に示した構造のものが用いられている。下側保持部１０として、図７（ｂ）〜（ｄ）に示した構造やそれ以外のものを用いることができる。
【００９５】
下側保持部１０は、図７（ａ）に示したように、上端にレンズＬの端縁を支える切欠部１１０を備え、上下方向に沿って配置されている支持板１１と、上下方向に沿って配置され、支持板１１と交差角度をもって一体化されている補助板１２とを備えている。支持板１１と補助板１２とが交わる隅部に液体貯留としての効果があるため、第１実施形態と同様に、浸漬後の液溜まり現象の防止に効果がある。
【００９６】
上記説明では、プラスチックレンズのハードコート膜形成をディッピング法により行う場合を例示したが、処理液はハードコート液に限られない。
【産業上の利用可能性】
【００９７】
本発明のレンズ保持治具は、例えばプラスチック眼鏡レンズに耐擦傷性を付与するハードコート膜を形成するディッピング処理を行う工程において、レンズを保持する用途に用いることができ、プラスチック眼鏡レンズの生産に利用することができる。
【図面の簡単な説明】
【００９８】
【図１】第１発明のレンズ保持治具の一実施形態を示すもので、（ａ）は正面図、（ｂ）は左右の側方保持部でレンズを保持している状態を示す構成図である。
【図２】（ａ）〜（ｄ）は、側方保持部の種々の形態を示す斜視図である。
【図３】側方保持部を拡大して示す側面図である。
【図４】搬送治具の一実施形態を示すもので、（ａ）は側面図、（ｂ）は装着部にバネ部を差し込んだ状態を示す断面図である。
【図５】第２発明のレンズ保持治具の一実施形態を示すもので、（ａ）は正面図、（ｂ）は左右の側方保持部及び下側保持部でレンズを保持している状態を示す構成図である。
【図６】図５に示したレンズ保持治具を斜め下側から見た斜視図である。
【図７】（ａ）〜（ｄ）は下側保持部の種々の形態を示す斜視図である。
【図８】第２発明の多数のレンズを収納するレンズ保持治具の一実施形態を示すもので、（ａ）は正面図、（ｂ）は側面図である。
【図９】従来の毎葉式のレンズ保持治具を示すもので、（ａ）はレンズ保持治具の正面図、（ｂ）は左右の側方保持部でレンズを保持している状態を示す構成図、（ｃ）は下側保持部を示す概略構成図である。
【図１０】（ａ）は従来の毎葉式のレンズ保持治具でハードコート処理を行った場合に発生するレンズ外観不良を示す説明図であり、（ｂ）はレンズ外観不良対策を施した場合の問題点を示した説明図である。
【図１１】（ａ）は円形レンズと玉型形状、（ｂ）は非円形レンズと玉型形状を示す説明図である。
【符号の説明】
【００９９】
１，１ｂ、１ｃ：レンズ保持治具、２，２ｂ，２ｃ：レンズ保持部、３，３ｂ：搬送固定部、３００：バネ部、２１，２１ｂ：第１アーム、２２，２２ｂ：第２アーム、２３，２３ｂ：第３アーム、４１，４４：第１側方保持部、４２，４５：第２側方保持部、４３，１０：下側保持部、４０４：Ｖ字状保持部、４０３：上下延伸部、４０２：水平延伸部
【図１】
2004268013.tif 000003
【図２】
2004268013.tif 000004
【図３】
2004268013.tif 000005
【図４】
2004268013.tif 000006
【図５】
2004268013.tif 000007
【図６】
2004268013.tif 000008
【図７】
2004268013.tif 000009
【図８】
2004268013.tif 000010
【図９】
2004268013.tif 000011
【図１０】
2004268013.tif 000012
【図１１】
2004268013.tif 000013